(57)【特許請求の範囲】
【請求項１】
２本のガス容器を単一のガス供給路に接続する際に使用され、前記ガス供給路に連通する１つの出力ポートと、各々ガス容器に連通する２つの入力ポートと、これら各ポートが連通する弁室で互いに傾斜角度を以って対峙するように前記入力ポートに各々形成された一対の弁座と、これら各弁座に着座可能に配設された転動自在な球形の弁体と、中立位置を境に該弁体を各弁座に着座させるべく付勢可能な付勢手段とを備えたガス集合設備用調整弁であって、
前記付勢手段が、中立位置を頂部として前記弁室内に凸状に形成された弁体ガイド部から成り、前記弁体が、ガス不使用時には前記弁体ガイド部上での転がり力により何れか一方の弁座に着座して当該入力ポートを閉塞すると共に、ガス使用時には前記転がり力に抗して前記各入力ポートを開放可能とされていることを特徴とするガス集合設備用調整弁。
【請求項２】
前記一対の弁座が、弾性部材で形成されていることを特徴とする請求項１に記載のガス集合設備用調整弁。
【請求項３】
２本のガス容器を単一のガス供給路に接続する際に使用され、前記ガス供給路に連通する１つの出力ポートと、各々ガス容器に連通する２つの入力ポートと、これら各ポートが連通する弁室で対峙するように前記入力ポートに各々形成された一対の弁座と、これら各弁座に着座可能に配設された弁体と、前記各入力ポートを開放する中立位置に該弁体を付勢可能な付勢手段とを備えたガス集合設備用調整弁であって、
前記弁体が、２つの前記入力ポートのガス流圧力が同じ時には前記付勢手段により前記各入力ポートを開放した中立位置に保持され、双方の前記入力ポートが連通して前記各々ガス容器が連通状態となると共に、前記ガス流圧力が異なる時には前記付勢力に抗して低圧側の前記入力ポートを閉塞可能とされていることを特徴とするガス集合設備用調整弁。
【発明の詳細な説明】
【０００１】
【発明の属する技術分野】
本発明はガス集合設備用調整弁に関し、特に、ＬＰガス集合設備等において二本のガス容器を単一のガス供給路に接続する際などに使用されるガス集合設備用調整弁に関するものである。
【０００２】
【従来の技術】
図７は、従来のＬＰガス集合設備の構成例を示したものである。
このＬＰガス集合設備は、ＬＰガスが充填された４本のガス容器１，２，３，４を集合配備したもので、２つのガス容器１，２は集合用高圧ホース７，８及びガス集合設備用調整弁９を介して、第１ガス供給路１１に接続されている。
また、残る２つのガス容器３，４は集合用高圧ホース１３，１４及びガス集合設備用調整弁１６を介して、第２ガス供給路１７に接続されている。
【０００３】
そして、前記第１及び第２ガス供給路１１，１７は、自動切替式圧力調整器１９を介して、下流の第３ガス供給路２１に接続されている。更に、第３ガス供給路２１はガスメータ２３を介して更に下流の第４ガス供給路２５に接続されている。第４ガス供給路２５は、ガスを消費する図示しないガス器具等までＬＰガスを導く。
【０００４】
前記自動切替式圧力調整器１９は、ガスの供給圧を安定させるため、ガスの供給系を第１ガス供給路１１側又は第２ガス供給路１７側に選択切り換えするもので、例えば、第１ガス供給路１１側からガス供給を受けていて、ガス容器１，２におけるガス残量が少なくなって供給ガス圧が規定以下になると、自動的にガス供給路を第２ガス供給路１７側に切り換える。
【０００５】
前記ガス集合設備用調整弁９，１６は、図８に示すように、チャンバー３１を介して前記第１ガス供給路１１に連通する一対の出力ポート４３，４４と、前記ガス容器１，２に接続された集合用高圧ホース７，８に連通する２つの入力ポート３３，３４と、これら各ポート４３，４４，３３，３４の開閉動作を行うチェック弁機構３８とを備えている。
前記チェック弁機構３８は、入力ポート３３，３４間に拡径形成された円筒状の弁室３６と、該弁室３６に摺動自在に嵌装された円柱状の弁体４１とを具備しており、前記弁体４１が弁室３６の中央位置に位置している時（圧力均衡時）には、前記両入力ポート３３，３４が両出力ポート４３，４４を介してチャンバー３１に連通状態となるように構成されている。
【０００６】
そこで、上記ガス集合設備用調整弁９，１６においては、ガス使用時に弁体４１が両端面に各入力ポート３３，３４から供給されるＬＰガスのガス流圧力を受け、各入力ポート３３，３４からのガス流圧力のバランスに応じて弁室３６内を摺動する。
即ち、前記調整弁９，１６は、２つの入力ポート３３，３４に供給されるガス流圧力が等しい時には、弁体４１が弁室３６中央の中立領域に位置し、２つの入力ポート３３，３４が共に両出力ポート４３，４４を介してチャンバー３１に連通した両ポート開放状態となる。
【０００７】
そして、２つの入力ポート３３，３４に供給されるガス流圧力が異なる時（例えば、ガス容器１内の圧力が高い時）には、弁体４１が中立領域から低圧側（図８中、右側）に移動して低圧側となった出力ポート４４を閉塞し、高圧側の入力ポート３３のみが開いた選択開放状態となる。
従って、前記調整弁９（１６）は、２つのガス容器１，２（３，４）内のガス消費を均等化する。
【０００８】
又、空になったガス容器１，２（３，４）の交換をする際に、各ガス容器１，２に接続された集合用高圧ホース７，８の何れか一方が外され、通常流れる方向と逆にガスが急速に流れると、前記調整弁９，１６の弁体４１はガス流圧力による背圧を受けてホースが外された入力ポート３３，３４の一方を閉塞し、ガスの放出を防ぐので、ガス容器交換時にはガス供給を止めずに容器交換を容易に行うことができる。
【０００９】
【発明が解決しようとする課題】
ところで、ＬＰガス集合設備において、ガス容器１，２，３，４は、図９に示すように、集合住宅の外側壁４６等に添って設置されることが多く、例えば、午前中の日照方向は矢印Ａの方向、午後の日照方向は矢印Ｂの方向となる場合がある。そこで、前記調整弁９に接続されているガス容器１，２同士でも、日照方向に対して最前列にあるガス容器１と、日陰に位置するガス容器２とでは、日照によって温度差が生じる。
【００１０】
そして、前述した調整弁９の構造では、前記自動切替式圧力調整器１９によってガスの不使用状態に切替えられている時には、図８に示すように、２つのガス容器１，２からの供給圧が等しいため、チェック弁機構３８の弁体４１は中立領域に位置しており、２つのガス容器１，２は該調整弁９の各ポート３３，４３，４４，３４を介して互いに連通した状態となってしまう。
そこで、日照等により、前記調整弁９に接続している未使用の２つのガス容器１，２に温度差が生じると、温度が高いガス容器１内ではガスの気化が進んでガス圧が高まり、温度の低いガス容器２内ではガスの再液化現象によりガス圧が低くなり、高圧側のガス容器１から低圧側のガス容器２へガスの移行が起こる。
【００１１】
そして、この様なガスの未使用状態が長期化すると、これらガス容器１，２内の温度差によるガスの移行が繰り返される結果、日陰側のガス容器２には規定量以上に再液化したガスが充填された状態となる。
そこで、例えばこの状態で前記調整弁９が図中左側に傾くなどして、摺動自在な前記弁体４１が前記入力ポート３３を閉塞してしまうと、前記ガス容器２内は再液化したガスで満たされた状態で閉塞されてしまう。この状態で容器温度が上昇すると、ガス容器２内の再液化したガスが体積膨張し、閉塞された該ガス容器２内は通常以上の圧力となってしまうので、該ガス容器２自体に装備されている安全弁が作動し、ガス容器２内のガスを大気放出してしまうガス漏れが生じる虞があった。
従って、本発明の目的は上記課題を解消することに係り、調整弁を介して接続された２つのガス容器内に充填されたガスが、長期に渡るガスの未使用状態によって異常な圧力上昇を生じ、大気放出されてしまうことがない良好なガス集合設備用調整弁を提供することである。
【００１２】
【課題を解決するための手段】
本発明の上記目的は、２本のガス容器を単一のガス供給路に接続する際に使用され、前記ガス供給路に連通する１つの出力ポートと、各々ガス容器に連通する２つの入力ポートと、これら各ポートが連通する弁室で互いに傾斜角度を以って対峙するように前記入力ポートに各々形成された一対の弁座と、これら各弁座に着座可能に配設された転動自在な球形の弁体と、中立位置を境に該弁体を各弁座に着座させるべく付勢可能な付勢手段とを備えたガス集合設備用調整弁であって、
前記付勢手段が中立位置を頂部として前記弁室内に凸状に形成された弁体ガイド部から成り、前記弁体がガス不使用時には前記弁体ガイド部上での転がり力により何れか一方の弁座に着座して当該入力ポートを閉塞すると共に、ガス使用時には前記転がり力に抗して前記各入力ポートを開放可能とされていることを特徴とするガス集合設備用調整弁により達成される。
【００１３】
上記構成によれば、ガス使用時には、弁体が各入力ポートから供給されるガスのガス流圧力を受け、適宜入力ポートを選択的に或いは同時に開放するので、２つのガス容器内のガス消費を均等化することができる。
又、ガス不使用時には、何れか一方の弁座に弁体が着座し、必ず当該弁座側の入力ポートを閉塞するので、２つのガス容器は互いに非連通状態となる。
そして、開放されている他方の弁座側の入力ポートに接続されたガス容器内のガス圧が他方のガス容器内のガス圧よりも高くなる場合、弁体には閉塞された一方の弁座の着座方向にガス圧が作用するだけであり、閉塞された一方の弁座側の入力ポートに接続された低圧側のガス容器にはガスが移行することはできない。
【００１４】
更に、閉塞されている一方の弁座側の入力ポートに接続されたガス容器内のガス圧が他方のガス容器内のガス圧よりも高くなる場合、弁体は開放方向にガス圧を受けるが、該弁体は着座方向に付勢されているので、直ぐには動かない。そして、該弁体を着座方向に付勢している付勢力よりも高圧側のガス容器内のガス圧が高くなると、弁体は他方の弁座側に吹き飛ばされるようにして中立位置を超えて他方の弁座に着座する。すると、今度はガス圧が他方の弁座の着座方向に作用するだけであり、閉塞された他方の弁座側の入力ポートに接続された低圧側のガス容器にはガスが移行することはできなくなる。
【００１５】
又、前記弁体が転動自在な球形に形成されると共に、前記付勢手段が中立位置を頂部として前記弁室内に凸状に形成された弁体ガイド部から成ることにより、弁体は弁体ガイド部上を転動することにより容易に何れか一方の弁座に着座することができ、前記付勢手段を簡単に構成することができる。
尚、好ましくは前記一対の弁座が、ゴムやテフロン等の弾性部材で形成されることにより、着座した弁体と弁座との密着性が高まり、弁体による低圧側の入力ポートの閉塞性能が向上するため、低圧側のガス容器へのガスの移行防止を更に確実にすることができる。
【００１６】
又、本発明の上記目的は、２本のガス容器を単一のガス供給路に接続する際に使用され、前記ガス供給路に連通する１つの出力ポートと、各々ガス容器に連通する２つの入力ポートと、これら各ポートが連通する弁室で対峙するように前記入力ポートに各々形成された一対の弁座と、これら各弁座に着座可能に配設された弁体と、前記各入力ポートを開放する中立位置に該弁体を付勢可能な付勢手段とを備えたガス集合設備用調整弁であって、
前記弁体が、２つの前記入力ポートのガス流圧力が同じ時には前記付勢手段により前記各入力ポートを開放した中立位置に保持され、双方の前記入力ポートが連通して前記各々ガス容器が連通状態となると共に、前記ガス流圧力が異なる時には前記付勢力に抗して低圧側の前記入力ポートを閉塞可能とされていることを特徴とするガス集合設備用調整弁により達成される。
【００１７】
上記構成によれば、弁体が各入力ポートから供給されるガスのガス流圧力による背圧を受ける時には、前記付勢力に抗して適宜入力ポートを選択的に或いは同時に開放するので、２つのガス容器内のガス消費を均等化することができる。
一方、前記弁体がガス流圧力による背圧を受けない時には、前記付勢手段により該弁体が前記各入力ポートを開放する中立位置に保持されるので、２つのガス容器は常時連通状態となり、不用意に一方の入力ポートが閉塞されてしまうことがない。
そこで、一方の入力ポートに接続されたガス容器内でガスの再液化現象が生じ、再液化したガスで該ガス容器が満たされても、ガス流圧力を受けない弁体は不用意に該ガス容器を閉塞することはなく、この状態で容器温度が上昇しても、該ガス容器内の再液化したガスは他方のガス容器内に移行することができるので、再液化現象を生じたガス容器内が通常以上の圧力となることはない。
【００１８】
【発明の実施の形態】
以下、添付図面に基づいて本発明の一実施形態に係るガス集合設備用調整弁を詳細に説明する。
図１は本発明の第１実施形態に係るガス集合設備用調整弁のガス不使用状態における断面図、図２は図１に示したガス集合設備用調整弁の使用例の説明図、図３は図１に示したガス集合設備用調整弁のガス使用状態における断面図である。
【００１９】
本第１実施形態のガス集合設備用調整弁５１は、図２に示したように、ＬＰガス集合設備においてＬＰガスが充填された２本のガス容器５２，５３を単一のガス供給路５４に接続する際に使用されるものであり、図４に示した従来のガス集合設備用調整弁９に相当するものである。従って、図示しないガス供給路５４の下流には、自動切替式圧力調整器及びガスメータ等が接続されている。
【００２０】
前記ガス集合設備用調整弁５１は、図１及び図２に示すように、ガス供給路５４に連通する１つの出力ポート５６と、集合用高圧ホース５７，５８を介して各々ガス容器５２，５３に連通する２つの入力ポート５９，６０と、これら各ポート５６，５９，６０が連通する弁室６４で対峙するように前記入力ポート５９，６０に各々形成された一対の弁座６６，６７と、これら各弁座６６．６７に着座可能に配設された弁体６８と、中立位置を境に該弁体６８を各弁座６６，６７に着座させるべく付勢可能な付勢手段としての弁体ガイド部６９とを備える。
【００２１】
前記弁体６８は、転動自在な金属製の球として構成されており、該弁体６８が着座する弁座６６，６７は、ゴム又はテブロン等の弾性材料から成り、円形の開口縁には弁体６８と周接するテーパ面が形成されている。又、本第１実施形態における弁座６６，６７は、互いに傾斜角度を以て対峙しており、弁体６８の移動量が最小となるように設定されている。
【００２２】
前記弁体ガイド部６９は、弁座６６と弁座６７の間の中間位置を頂部６９ａとして前記弁室６４内に凸状に形成されており、該弁体ガイド部６９上に載置された前記弁体６８は頂部６９ａに留まることなく何れか一方の弁座側（図１においては、弁座６７側）に転動する。そして、弁座６７に着座した後も、弁体６８には弁体ガイド部６９の斜面に沿った転がり力が作用するので、該弁体６８は弁座６７に対して着座方向に付勢された状態となる。
【００２３】
即ち、上記ガス集合設備用調整弁５１によれば、ガス使用時に前記ガス容器５２，５３内の圧力が略等しく、各入力ポート５９，６０から供給されるガスが弁体６８に対して作用するガス流圧力が略同じ場合には、図３に示すように、弁体６８が中立位置である弁体ガイド部６９の頂部６９ａに位置して両弁座６６，６７を開放し、両入力ポート５９，６０を同時に出力ポート５６に連通状態とする。
【００２４】
又、ガス使用時に前記ガス容器５２，５３内の圧力が異なり、例えば入力ポート５９から供給されるガスが弁体６８に対して作用するガス流圧力が入力ポート６０から供給されるガスのガス流圧力よりも高くなる場合には、弁体６８が低圧側の弁座６７に着座して低圧側の入力ポート６０を閉じ、高圧側の入力ポート５９のみが出力ポート５６に連通状態となる。
従って、前記ガス集合設備用調整弁５１は、２つのガス容器５２，５３内のガス消費を均等化し、又、空になったガス容器５２，５３の交換を容易にすることができる。
【００２５】
一方、前記弁体ガイド部６９上に設けられた弁体６８が、ガス流圧力を受けないガス不使用時には、該弁体ガイド部６９の斜面上を転がり落ちて何れか一方の弁座（例えば、図１に示す弁座６７）に着座し、必ず当該弁座６７側の入力ポート６０を閉塞するので、２つのガス容器５２，５３は互いに非連通状態となる。
ここで、上記調整弁５１に接続される２つのガス容器５２，５３が、例えば日照時において図２中右側のガス容器５３が左側のガス容器５２の陰に入り、該ガス容器５３の日照によるガス容器の昇温がガス容器５２よりも低くなるように設置されているとする。
【００２６】
そして、前記ガス供給路５４がその上流に装備された図示しない自動切替式圧力調整器により閉じられたガス未使用時において、開放されている他方の弁座６６側の入力ポート５９に接続されたガス容器５２内のガス圧が日照等で他方のガス容器５３内のガス圧よりも高くなる場合、弁体６８には閉塞された弁座６７の着座方向にガス圧が作用するだけであり、閉塞された弁座６７側の入力ポート６０に接続された低圧側のガス容器５３にはガスが移行することはできない。
【００２７】
又、上述の状況とは反対に、上記調整弁５１に接続される２つのガス容器５２，５３が、例えば日照時において図２中左側のガス容器５２が右側のガス容器５３の陰に入り、該ガス容器５２の日照によるガス容器の昇温がガス容器５３よりも低くなるように設置されているとする。
そして、前記ガス供給路５４がその上流に装備された図示しない自動切替式圧力調整器により閉じられたガス未使用時において、閉塞されている一方の弁座６７側の入力ポート６０に接続されたガス容器５３内のガス圧が日照等で他方のガス容器５２内のガス圧よりも高くなる場合、弁体６８は開放方向にガス圧を受けるが、該弁体６８は着座方向に付勢されているので、直ぐには動かない。
【００２８】
そして更に、該弁体６８を着座方向に付勢している前記弁体ガイド部６９の斜面に沿った下方への転がり力よりも高圧側のガス容器５３内のガス圧が高くなると、弁体６８は他方の弁座６６側に吹き飛ばされるようにして前記弁体ガイド部６９の頂部６９ａを乗り越える。該頂部６９ａを乗り超えた弁体６８は、今度は反対側の斜面上を転がり落ち、他方の弁座６６に着座する。すると、今度はガス圧が他方の弁座６６の着座方向に作用するだけであり、該弁座６６側の入力ポート５９に接続された低圧側のガス容器５２にはガスが移行することはできなくなる。
【００２９】
従って、前記ガス集合設備用調整弁５１によれば、ガス不使用時には常に２つのガス容器５２，５３は互いに非連通状態となり、日照等によって該調整弁５１に接続している未使用の予備としての２つのガス容器５２，５３に温度差が生じても、高圧側のガス容器から低圧側のガス容器へガスの移行が起こることはない。
そこで、ガスの未使用状態が長期化しても、日陰側のガス容器内が規定量以上に液化したガスを充填された状態となることはなく、ガス容器自体に装備されている安全弁が作動してガス容器内のガスを大気放出してしまうガス漏れが生じる虞は全くない。
【００３０】
また、本第１実施形態の場合、前記一対の弁座６６，６７が、ゴムやテブロン等の弾性材料で形成されているので、着座した弁体６８と弁座６６，６７との密着性が高まり、弁体６８による低圧側の入力ポートの閉塞性能が向上するため、低圧側ガス容器へのガスの移行防止を更に確実にすることができる。
【００３１】
尚、本発明のガス集合設備用調整弁に係る弁体及び付勢手段は、上記第１実施形態における弁体６８及び弁体ガイド部６９の構成に限定されるものはでなく、中立位置を境に該弁体を各弁座に着座させるべく付勢可能な構成であれば良い。
【００３２】
図４は本発明の第２実施形態に係るガス集合設備用調整弁の要部断面図、図５は図４に示したガス集合設備用調整弁の拡大断面図、図６は図５に示したガス集合設備用調整弁の作動状態を示す拡大断面図である。
本第２実施形態のガス集合設備用調整弁７１は、上記第１実施形態に係るガス集合設備用調節弁５１と同様に、ＬＰガス集合設備においてＬＰガスが充填された２本のガス容器を単一のガス供給路に接続する際に使用されるものであり、図示しないガス供給路の下流には、自動切替式圧力調整器及びガスメータ等が接続されている。
【００３３】
前記ガス集合設備用調整弁７１は、図４及び図５に示すように、一対の連通孔８２，８３を介して図示しないガス供給路に連通する１つの出力ポート７７と、集合用高圧ホース５７，５８を介して各々ガス容器に連通する２つの入力ポート７３，７５と、これら各ポート７７，７３，７５が連通する円筒状の弁室７８で対峙するように前記入力ポート７３，７５に各々形成された一対の弁座７４，７６と、前記弁室７８に摺動自在に嵌装されてこれら各弁座７４，７６に着座可能に配設された弁体７２と、前記各入力ポート７３，７５を開放する中立位置に該弁体７２を付勢可能な付勢手段としての一対の圧縮コイルバネ８０，８１とを備える。そして、前記弁体７２が弁室７８の中央位置に位置している時（圧力均衡時）には、前記両入力ポート７３，７５が両連通孔８２，８３を介して出力ポート７７に連通状態となる。
【００３４】
前記弁体７２は、略円柱状の弁として構成されており、該弁体７２が着座する弁座７４，７６には、弁体７２の各端面と当接するノズル状の開口縁が形成されている。
前記圧縮コイルバネ８０，８１は、それぞれ弁体７２と各弁座７４，７６との間に介装されており、一端が弁座７４（７６）の基部に外嵌されると共に、他端が弁体７２の端面に形成された凹部に内嵌されて固定される。そこで、弁体７２は、前記圧縮コイルバネ８０，８１のバネ力により、前記各入力ポート７３，７５を開放する中立位置に付勢された状態となる。
【００３５】
即ち、上記ガス集合設備用調整弁７１によれば、ガス使用時に２本のガス容器内の圧力が略等しく、各入力ポート７３，７５から供給されるガスが弁体７２に対して作用するガス流圧力が略同じ場合には、図５に示すように、圧縮コイルバネ８０，８１に付勢された弁体７２が中立位置に位置して両弁座７４，７６を開放し、両入力ポート７３，７５を同時に両連通孔８２，８３を介して出力ポート７７に連通状態とする。
【００３６】
又、ガス使用時に２本のガス容器内の圧力が異なり、例えば入力ポート７３から供給されるガスが弁体７２に対して作用するガス流圧力が入力ポート７５から供給されるガスのガス流圧力よりも高くなる場合には、図６に示したように、ガス流圧力による背圧を受けた弁体７２が圧縮コイルバネ８１の付勢力に抗して低圧側の弁座７６に着座して低圧側の入力ポート７５を閉じ、高圧側の入力ポート７３のみが両連通孔８２，８３を介して出力ポート７７に連通状態となる。そこで、前記ガス集合設備用調整弁７１は、２本のガス容器内のガス消費を均等化することができる。
尚、前記圧縮コイルバネ８０，８１のバネ力は、弁体７２に背圧が作用した際に該弁体７２の摺動を妨げることがないように非常に弱く設定される。
【００３７】
更に、空になったガス容器の交換をする際にも、例えば一方のガス容器に接続された集合用高圧ホース５８が外され、通常流れる方向と逆にガスが急速に流れると、図６に示したように、ガス流圧力による背圧を受けた前記調整弁７１の弁体７２は圧縮コイルバネ８１の付勢力に抗してホースが外された入力ポート７５を閉塞し、ガスの放出を防ぐので、ガス容器交換時にはガス供給を止めずに容器交換を容易に行うことができる。
【００３８】
一方、前記弁体７２がガス流圧力による背圧を受けない時には、前記圧縮コイルバネ８０，８１のバネ力により該弁体７２が前記各入力ポート７３，７５を開放する中立位置に保持されるので、２つのガス容器は常時連通状態となり、不用意に一方の入力ポートが閉塞されてしまうことがない。
そこで、一方の入力ポートに接続されたガス容器内でガスの再液化現象が生じ、再液化したガスで該ガス容器が満たされても、ガス流圧力を受けない弁体７２は不用意に該ガス容器を閉塞することはなく、この状態で容器温度が上昇しても、該ガス容器内の再液化したガスは他方のガス容器内に移行することができるので、再液化現象を生じたガス容器内が通常以上の圧力となることはない。
【００３９】
従って、上記ガス集合設備用調整弁７１によれば、ガスの未使用状態が長期化しても、規定量以上に液化したガスが充填された日陰側のガス容器内が閉塞された状態となることはなく、ガス容器自体に装備されている安全弁が再液化現象による圧力異常上昇を原因に作動し、ガス容器内のガスを大気放出してしまうガス漏れが生じる虞は全くない。
【００４０】
また、本発明のガス集合設備用調整弁は、高圧ガスを充填した２つのガス容器を単一のガス供給路に接続するようなケースであれば、ＬＰガス集合設備に限らず利用することができ、接続された２つのガス容器内に充填されたガスが、長期に渡るガスの未使用状態によって異常な圧力上昇を生じるのを確実に防止することができる。
【００４１】
【発明の効果】
本発明のガス集合設備用調整弁によれば、ガス使用時には、弁体が各入力ポートから供給されるガスのガス流圧力を受け、適宜入力ポートを選択的に或いは同時に開放するので、２つのガス容器内のガス消費を均等化することができる。
又、ガス不使用時には、何れか一方の弁座に弁体が着座し、必ず当該弁座側の入力ポートを閉塞するので、２つのガス容器は互いに非連通状態となる。
そして、開放されている他方の弁座側の入力ポートに接続されたガス容器内のガス圧が他方のガス容器内のガス圧よりも高くなる場合、弁体には閉塞された一方の弁座の着座方向にガス圧が作用するだけであり、閉塞された一方の弁座側の入力ポートに接続された低圧側のガス容器にはガスが移行することはできない。
更に、閉塞されている一方の弁座側の入力ポートに接続されたガス容器内のガス圧が他方のガス容器内のガス圧よりも高くなる場合、弁体は開放方向にガス圧を受けるが、該弁体は着座方向に付勢されているので、直ぐには動かない。そして、該弁体を着座方向に付勢している付勢力よりも高圧側のガス容器内のガス圧が高くなると、弁体は他方の弁座側に吹き飛ばされるようにして中立位置を超えて他方の弁座に着座する。すると、今度はガス圧が他方の弁座の着座方向に作用するだけであり、閉塞された他方の弁座側の入力ポートに接続された低圧側のガス容器にはガスが移行することはできなくなる。
【００４２】
又、本発明の他のガス集合設備用調整弁によれば、弁体が各入力ポートから供給されるガスのガス流圧力による背圧を受ける時には、前記付勢力に抗して適宜入力ポートを選択的に或いは同時に開放するので、２つのガス容器内のガス消費を均等化することができる。
一方、前記弁体がガス流圧力による背圧を受けない時には、前記付勢手段により該弁体が前記各入力ポートを開放する中立位置に保持されるので、２つのガス容器は常時連通状態となり、不用意に一方の入力ポートが閉塞されてしまうことがない。
そこで、一方の入力ポートに接続されたガス容器内でガスの再液化現象が生じ、再液化したガスで該ガス容器が満たされても、ガス流圧力を受けない弁体は不用意に該ガス容器を閉塞することはなく、この状態で容器温度が上昇しても、該ガス容器内の再液化したガスは他方のガス容器内に移行することができるので、再液化現象を生じたガス容器内が通常以上の圧力となることはない。
従って、調整弁を介して接続された２つのガス容器内に充填されたガスが、長期に渡るガスの未使用状態によって異常な圧力上昇を生じ、大気放出されてしまうことがない良好なガス集合設備用調整弁を提供できる。
【図面の簡単な説明】
【図１】本発明の一実施形態に係るガス集合設備用調整弁のガス不使用状態における断面図である。
【図２】図１に示したガス集合設備用調整弁の使用例の説明図である。
【図３】図１に示したガス集合設備用調整弁のガス使用状態における断面図である。
【図４】本発明の第２実施形態に係るガス集合設備用調整弁の要部断面図である。
【図５】図４に示したガス集合設備用調整弁の拡大断面図である。
【図６】図５に示したガス集合設備用調整弁の作動状態を示す拡大断面図である。
【図７】ＬＰガス集合設備の概略構成図である。
【図８】図７に示したＬＰガス集合設備に使用されている従来のガス集合設備用調整弁の断面図である。
【図９】図７に示したＬＰガス集合設備において、日照によってガス容器間に温度差が生じる状況の説明図である。
【符号の説明】
５１  ガス集合設備用調整弁
５２，５３  ガス容器
５４  ガス供給路
５６  出力ポート
５９，６０  入力ポート
６４  弁室
６６，６７  弁座
６８  弁体
６９  弁体ガイド部
６９ａ  頂部
【図１】
0003986205.tif 000002
【図２】
0003986205.tif 000003
【図３】
0003986205.tif 000004
【図４】
0003986205.tif 000005
【図５】
0003986205.tif 000006
【図６】
0003986205.tif 000007
【図７】
0003986205.tif 000008
【図８】
0003986205.tif 000009
【図９】
0003986205.tif 000010